(57)【要約】【課題】過去の撮影条件での写真を撮るための設定値をできるだけ簡単に再設定でき、前記設定値に設定するためのマニュアルデータ自体の言葉や数値なども適宜変更してプリンタに送信できる撮像装置を提供すること【解決手段】操作手段を有する撮像装置であって、操作手段の操作手順を記したマニュアルデータを記憶し、撮像画像に付加された撮像付加情報を取得する。撮像画像もしくはマニュアルデータの少なくとも１つを送信する選択を受け付け、選択受付手段によりマニュアルデータを送信する選択を受け付けた場合、撮像付加情報に基づいて、マニュアルデータを変更し、変更されたマニュアルデータを外部装置に送信することを特徴とする【選択図】図２
2012129880.tif 000002
【特許請求の範囲】
【請求項１】
操作手段を有する撮像装置において、
前記操作手段の操作手順を記したマニュアルデータを記憶するマニュアルデータ記憶手段と、
撮像画像に付加された撮像付加情報を取得する撮像付加情報取得手段と、
前記撮像画像もしくは前記マニュアルデータの少なくとも１つを送信する選択を受け付ける選択受付手段と、
前記選択受付手段により前記マニュアルデータを送信する選択を受け付けた場合、前記撮像付加情報に基づいて、前記マニュアルデータを変更するマニュアルデータ変更手段と、
前記マニュアルデータ変更手段により変更されたマニュアルデータを出力可能な出力手段を有することを特徴とする撮像装置。
【請求項２】
撮像装置が有する複数の撮像モード毎の撮像条件を記憶する標準撮像条件データ記憶部と、
前記撮像付加情報取得手段により取得した撮像付加情報と、前記複数の撮像モード毎の撮像条件との差分を検出する標準撮像条件差分検出手段と、
前記マニュアルデータ変更手段は、前記標準撮像条件差分検出手段で差分が検出されない撮影モードが１つでもある場合は、前記マニュアルデータの対応する撮影モードの部分を抜き出し、前記標準撮像条件差分検出手段で差分が検出されない撮影モードが１つもない場合は、前記撮像付加情報に基づいて、前記マニュアルデータを変更することを特徴とする請求項１記載の撮像装置。
【請求項３】
前記標準撮像条件差分検出手段で差分が検出されない撮影モードが１つもない場合は、前記撮像モードの内、最も設定変更項目が少ないものを撮影モードと選ぶ標準撮像条件決定手段を有することを特徴とする請求項２記載の撮像装置
【請求項４】
前記出力手段は、前記マニュアルデータ変更手段により変更されたマニュアルデータを外部装置に出力することを特徴とする請求項１乃至３記載の撮像装置
【請求項５】
操作手段を有する撮像装置と接続可能な情報処理装置において、
前記操作手段の操作手順を記したマニュアルデータを記憶するマニュアルデータ記憶手段と、
前記撮像装置により撮像された撮像画像に付加された撮像付加情報を取得する撮像付加情報取得手段と、
前記撮像画像もしくは前記マニュアルデータの少なくとも１つを送信する選択を受け付ける選択受付手段と、
前記選択受付手段により前記マニュアルデータを送信する選択を受け付けた場合、前記撮像付加情報に基づいて、前記マニュアルデータを変更するマニュアルデータ変更手段と、
前記マニュアルデータ変更手段により変更されたマニュアルデータを外部装置に送信する送信手段を有することを特徴とする情報処理装置。
【請求項６】
操作手段を有する撮像装置におけるマニュアル出力方法で合って、
前記操作手段の操作手順を記したマニュアルデータを記憶するマニュアルデータ記憶手段に記憶されたマニュアルデータを読み込むマニュアルデータ読込方法と、
撮像画像に付加された撮像付加情報を取得する撮像付加情報取得方法と、
前記撮像画像もしくは前記マニュアルデータ読込方法で読み込まれたマニュアルデータの少なくとも１つを送信する選択を受け付ける選択受付方法と、
前記選択受付方法により前記マニュアルデータを送信する選択を受け付けた場合、前記撮像付加情報に基づいて、前記マニュアルデータを変更するマニュアルデータ変更方法と、
前記マニュアルデータ変更方法により変更されたマニュアルデータを出力可能な出力方法を有することを特徴とするマニュアル出力方法。
【請求項７】
請求項６に記載されたマニュアル出力方法をコンピュータが実行するためのプログラム。
【請求項８】
請求項６に記載されたマニュアル出力方法をコンピュータが実行するためのプログラムをコンピュータが読み取り可能に記憶した記録媒体
【発明の詳細な説明】
【技術分野】
【０００１】
本発明は、デジタルカメラに代表される撮像装置に関する。
【背景技術】
【０００２】
近年のデジタルカメラは機能が複雑化しており、様々な撮影条件（絞り、シャッター速度など）を試しながら撮影することが良くある。様々な撮影条件で撮影した結果、一番上手く撮影できた撮影条件を、後日もう一度再現し、それからさらに撮影条件を変えて撮影したい状況がある。しかし、不慣れなユーザにとっては、デジタルカメラの機能が複雑化しているため、同じ撮影条件にする設定が容易ではない。そのため、ユーザはデジタルカメラのマニュアルを見ながら、同じ撮影条件に合わせるという煩わしさがあった。
【０００３】
特許文献１には、マニュアルデータを撮像装置に記憶しておき、マニュアルデータから適切なページデータを読み出して出力、印刷を実行する構成が記載されている。
【先行技術文献】
【特許文献】
【０００４】
【特許文献１】特開２００６−３４０２３１号公報
【発明の概要】
【発明が解決しようとする課題】
【０００５】
しかしながら、特許文献１では、マニュアルデータの操作状態の説明に適するページを外部に送信もしくは表示しているが、マニュアルデータのページ自体を出力もしくは表示する構成では、通常のマニュアルを持ち歩くことと変わらず、過去の撮影条件の設定値を簡単に設定することは難しいことがある。
【０００６】
本発明の目的は、上記課題を解決するためになされたものであり、本発明は過去の撮影条件での写真を撮るための設定値をできるだけ簡単に再設定でき、前記設定値に設定するためのマニュアルデータ自体の言葉や数値なども適宜変更してプリンタに送信できる撮像装置を提供することが目的である。
【課題を解決するための手段】
【０００７】
本発明は、上記の課題を解決するために、操作手段を有する撮像装置において、前記操作手段の操作手順を記したマニュアルデータを記憶するマニュアルデータ記憶手段と、撮像画像に付加された撮像付加情報を取得する撮像付加情報取得手段と、撮像画像もしくは前記マニュアルデータの少なくとも１つを送信する選択を受け付ける選択受付手段と、前記撮像付加情報に基づいて、前記マニュアルデータを変更するマニュアルデータ変更手段と、前記マニュアルデータ変更手段により変更されたマニュアルデータを外部装置に送信する送信手段を有する。
【発明の効果】
【０００８】
本発明では、各撮影条件に適したマニュアルを出力することにより、ユーザが容易に過去の撮影条件を再設定可能にするという効果を有する。
【図面の簡単な説明】
【０００９】
【図１】本発明の撮像装置のハードウェア構成及びプリンタを適用可能なシステム構成の一例を示すブロック図である。
【図２】図１に示した撮像装置のソフトウウェア構成の一例を示すブロック図である。
【図３】本発明における第１の制御処理手順の一例を示すフローチャートである。
【図４】本発明における第２の制御処理手順の一例を示すフローチャートである。
【図５】本発明の実施形態における撮像装置２００が管理する標準撮像条件データテーブルの一例である。
【図６】本発明の実施形態における撮像装置２００が管理する標準撮像条件差分検出部が判断するデータテーブルの一例である。
【図７】本発明の実施形態における撮像装置２００が管理するマニュアルデータの一例である。
【図８】本発明の実施形態における撮像装置２００が管理するマニュアルデータの一例である。
【図９】本発明の実施形態における撮像装置２００が管理するマニュアルデータの一例である。
【図１０】本発明の実施形態における撮像装置２００が管理するマニュアルデータの一例である。
【図１１】本発明の実施形態における撮像装置２００上でのユーザの操作イメージの一例である。
【図１２】本発明の実施形態における撮像装置２００がプリンタ２５０に送信する情報の一例である。
【図１３】本発明に係る撮像装置で読み出し可能な各種データ処理プログラムを格納する記録媒体のメモリマップを説明する図である。
【発明を実施するための形態】
【００１０】
以下、図面を参照して、本発明の一実施形態を示す撮像装置について説明する
【００１１】
図１は、本発明の一実施形態を示す本発明の撮像装置のハードウェア構成及びプリンタを適用可能なシステム構成の一例を示すブロック図である。
【００１２】
図１において、２００は本発明の撮像装置（例えば、デジタルカメラ，デジタルビデオカメラ等）であり、レンズ２１０，レンズ絞り制御部２１１，撮像素子２１２，ＲＯＭ，メモリ２１３，ＣＰＵ２１４，外部記憶メモリ２１５（フラッシュメモリ等），シャッタ速度制御部２１６を備えている。なお、撮像装置２００は、上記２１０〜２１５に示した以外に、焦点距離を合わせるレンズ駆動モータ、シャッタボタン、光学系部材等の多数の部品から構成されるものであるが図１では省略してある。
【００１３】
レンズ絞り制御部２１１は、ＣＰＵ２１４からの指示により、図示しないレンズの光学絞り機構を駆動させて、撮像素子で撮影する被写体の被写界深度や明るさを設定している。シャッタ速度制御部２１６は、ＣＰＵ２１４で指示されたシャッタ速度で、図示しないシャッタ速度調整機構により、撮像素子に入射する被写体光の露出時間を調整している。撮像素子２１２は、例えばＣＣＤ，ＣＯＭＳセンサ等であり、レンズ２１０を透過した光を感知して画像データに変換しメモリ２１３に転送する。
【００１４】
ＣＰＵ２１４は、メモリ２１３に記憶されたプログラムを実行して、メモリ２１３から画像データを読み込み、後述するフローチャートに示す処理を実行して、画像データを外部記憶メモリ２１５に保存する。
【００１５】
通信Ｉ／Ｆ２１７は、外部の情報処理装置や画像形成装置（プリンタ２５０）などと撮像装置２００を接続するインタフェースであり、現在はＵｎｉｖｅｒｓａｌ
Ｓｅｒｉａｌ Ｂｕｓ（ＵＳＢ）等による接続が主流である。また、通信Ｉ／Ｆ２１７を通して、撮像装置から直接プリンタ２５０等に接続すれば、撮像装置から直接撮像画像などを印刷可能というＰｉｃｔＢｒｉｄｇｅという規格が存在する。
【００１６】
入出力制御部２１８は、ＣＰＵ２１４からユーザへの情報表示やユーザからのＣＰＵ２１４への情報入力を行うための入出力部２１９への情報入出力を制御する。
【００１７】
図２は、本発明の撮像装置のソフトウェア構成の一例を示すブロック図である。
【００１８】
図２において、外部記憶メモリ２１５内にある、撮像情報１０１は、撮像装置２００で撮影された画像情報およびその撮影の際の撮像装置２００での撮影条件情報である撮像付加情報からなる。
【００１９】
メモリ２１３内にある、マニュアルデータ記憶部１０２は、撮像装置の入出力部２１９の入力方法の操作手順のマニュアルテンプレートやマニュアルデータ変更部１０４で変更される部分データなどを記憶している。詳細は図７〜図１０で後述する。
【００２０】
また、標準撮像条件データ記憶部１０３は、撮像装置にデフォルトで備わっている撮影モード（ポートレートモード、風景モードなど）による撮影条件（シャッタ速度や絞り値、露出補正値やホワイトバランス、感度設定など）などを記憶している。詳細は図５を参照して説明する。
【００２１】
図５は、本発明の実施形態における撮像装置２００が管理する標準撮像条件データテーブルの一例である。
【００２２】
図５において、５０１はカメラ内部での設定する項目名であり、５０３には各撮影モード毎のデフォルトの項目の値が記憶されている。また、５０２は撮影時に撮影データと共に保存する項目名であり、５０４には各撮影モード毎のデフォルトの設定値が記憶されている。例えば、ポートレートモード撮影の場合はデフォルトでのカメラ内部の設定値は、シャッタースピードが１／６０秒であり、絞り値Ｆは２．８である。また、露出補正値は０（補正はしない）でホワイトバランスは自動設定、感度設定も自動である。
【００２３】
なお、図５の撮影モードにはポートレードモードや風景モード、夜景モードなどの自動的にシャッタ速度や絞り値を決定するモードを記載したが、シャッタ優先モードや絞り優先モードなど、シャッタ速度や絞り値をユーザの指定により決定して撮影するモードでも同様である。シャッタ優先モードや絞り優先モードの場合、露出補正値などの関係なく、シャッタ速度や絞り値を優先するモードのマニュアルを送信する。図２の説明に戻る。
【００２４】
図２において、１０４〜１１１は夫々処理部であり、図１に示したＣＰＵ２１４がメモリ２１３に格納されるプログラムを実行することにより実現されるものである。以下、処理部１０４〜１１１について簡単に説明する。
【００２５】
図２において、１１１は情報制御部であり、後述する全ての処理部１０４〜１１０の制御及び管理を行っている処理部である。
【００２６】
１０４はマニュアルデータ変更部であり、マニュアルデータ記憶部１０２から取得するマニュアルデータを撮影条件に合わせて変更する処理部である。操作部１０５はユーザからの撮影条件の変更指示を受け付ける処理部である。
【００２７】
１０６は撮像付加情報取得部であり、撮像情報から撮像付加情報を取得する処理部である。１０７は選択受付部であり、撮像装置２００をプリンタ２５０に接続した際に、撮影された画像情報を出力するのか、画像情報を撮影した際の撮影条件に設定するためのマニュアルを出力するのかのユーザからの選択を受け付ける。
【００２８】
１０８は標準撮像条件差分検出部であり、デフォルトで撮像装置が有している標準撮像条件データと、撮像付加情報取得部１０６で取得した撮像付加情報との差分を検出する処理部である。１０９は標準撮像条件決定部であり、デフォルトで撮像装置が有している複数の標準撮像条件データの内、撮像付加情報取得部１０６で取得した撮像付加情報との差分が最も少ない撮影モードを決定する処理部である。送信部１１０は、撮像装置の画像情報、もしくはマニュアルデータをプリンタに送信する処理部である。
【００２９】
以下、図３〜図１３を参照して、本発明における制御動作について説明する。
【００３０】
図３は、本発明における第１の制御処理手順の一例を示すフローチャートである。なお、このフローチャートの処理は、図２に示した各処理部１０４〜１１１により実行される。即ち、図１に示したＣＰＵ２１４がメモリ２１３内のプログラム領域に格納されるプログラムを実行することにより実現される。また、図中、Ｓ３１０〜Ｓ３１４は各ステップを示す。
【００３１】
まず、撮像装置２００にプリンタ２５０が通信Ｉ／Ｆ２１７を介して接続された状態になると、ＣＰＵ２１４はメモリ２１３内のプログラムを実行して本フローチャートの処理を開始する。
【００３２】
まず、ステップＳ３１０において、ＣＰＵ２１４は、外部記憶メモリ２１５に記憶している撮像情報１０１（撮像画像や撮像付加情報）を取得し、メモリ２１３に記憶する。
【００３３】
次に、ステップＳ３１１において、ＣＰＵ２１４は、ユーザが通常印刷を望むのか、撮影条件に設定するためのマニュアル印刷を望むのかを選択させるため、入出力部２１９に出力する情報を生成し、入出力制御部に送信する。その後、ユーザから通常印刷かマニュアル印刷かの入力を待ち、通常印刷の場合は、ステップＳ３１４に移行し、ＣＰＵ２１４は、撮像装置２００に接続されたプリンタ２５０に対して撮像画像を送信し、処理を終了する。
【００３４】
一方、ステップＳ３１１において、マニュアル印刷が選択された場合は、次のステップＳ３１２に移行し、ＣＰＵ２１４は、ステップＳ３１０で取得した撮像画像を撮影する際の撮影条件を設定するためのマニュアルイメージを作成する。なお、このマニュアルイメージ作成の詳細は、後述する図４に示すフローチャートで説明する。
【００３５】
続いて、ステップＳ３１３において、ＣＰＵ２１４は、ステップＳ３１２において作成したマニュアルイメージを通信Ｉ／Ｆ２１７を介して、プリンタ２５０へ送信し、処理を終了する。
【００３６】
次に、図４を参照して、図３のステップＳ３１２で説明したマニュアルイメージ作成の詳細な流れを説明する。
【００３７】
図４は、本発明における第２の制御処理手順の一例を示すフローチャートである。なお、このフローチャートの処理は、図２に示した各処理部１０４〜１１１により実行される。即ち、図１に示したＣＰＵ２１４がメモリ２１３内のプログラム領域に格納されるプログラムを実行することにより実現される。また、図中、Ｓ４０１〜Ｓ４０９は各ステップを示す。
【００３８】
まず、ステップＳ４０１において、ＣＰＵ２１４は、メモリ２１３に記憶されているＳ３１０で取得した撮影情報から撮像付加情報を取得する。
【００３９】
次に、ステップＳ４０２において、ＣＰＵ２１４は、メモリ２１３に記憶されている撮像装置２００に標準で備わっている撮影モードの設定値（シャッタ速度や絞り値、露出補正値やホワイトバランス、感度設定など）すなわち撮像付加情報を取得する。
【００４０】
続いて、ステップＳ４０３において、ＣＰＵ２１４は、ステップＳ４０１で取得した撮像付加情報とＳ４０２で取得した複数の撮影モードの設定値（標準撮影条件データ）を比較する。比較した結果、撮像付加情報に撮影条件が最も近い撮影モードのマニュアルを送信するために、ステップＳ４０４において、ＣＰＵ２１４は、メモリ２１３に記憶されているマニュアルデータ記憶部１０２のマニュアルデータから、「撮像付加情報に最も撮影条件が近い撮影モード」のマニュアルデータのテンプレートを取得する。ステップＳ４０３におけるデータ比較処理の詳細を図６を参照して説明する。
【００４１】
図６は、本発明の実施形態における撮像装置２００が管理する標準撮像条件差分検出部が判断するデータテーブルの一例である。
【００４２】
図６において、６０１は撮像情報１０１から取得した撮像付加情報であり、６０１の例であれば、シャッタ速度は１／６０秒、絞り値Ｆは２．８である。また、６０１の例では、撮影した撮像画像の撮像付加情報として露出補正値が＋１／３、ホワイトバランスが太陽光（ｄａｙｌｉｇｈｔ）、ＩＳＯ感度は４００と設定されたポートレートモード６０４での撮影である。６０１の例の場合、６０３の各撮影モードの中で最も値が近い撮影モードはポートレートモード６０２である。なお、データを比較する際に最も値が近い撮影モードを選択する方法は、夫々の撮影モードの標準撮影条件データと、撮像画像の撮像付加情報とが異なる項目が少ないものを選択しても良いし、２つの撮影モード６０５が少なくとも一致している項目を選択しても良い。次に図７〜図１０を参照して、マニュアルデータのテンプレートを取得する処理を説明する。
【００４３】
図７は、本発明の実施形態における撮像装置２００が管理するマニュアルデータの一例である。
【００４４】
図７において、イメージモードテンプレート７０１は、撮影モードを変更する際にプリンタ２５０に送信するマニュアルデータのテンプレートである。もし、「撮像付加情報に最も撮影条件が近い撮影モード」がマニュアルモードではない（すなわち図６の６０４の欄が１（ｍａｎｕａｌ）となっていない）場合は、ステップＳ４０４において、７０１のイメージテンプレートを取得する。７０２欄は、ステップＳ４０７でマニュアルデータの変更部分を合成するため、空欄となっている。
【００４５】
図８は、本発明の実施形態における撮像装置２００が管理するマニュアルデータの一例である。
【００４６】
図８において、露出補正値テンプレート８０１は、露出補正値を変更する際にプリンタ２５０に送信するマニュアルデータのテンプレートある。もし、「撮像付加情報に最も撮影条件が近い撮影モード」の値が撮像付加情報と異なっている（すなわち「撮像付加情報に最も撮影条件が近い撮影モード」であるポートレートモードの場合、「０／３」（６０７）でない）場合は、ステップＳ４０４において、８０１のイメージテンプレートを取得する。８０２欄は、ステップＳ４０７でマニュアルデータの変更部分を合成するため、空欄となっている。
【００４７】
図９は、本発明の実施形態における撮像装置２００が管理するマニュアルデータの一例である。
【００４８】
図９において、ホワイトバランステンプレート９０１は、ホワイトバランスを調整する際にプリンタ２５０に送信するマニュアルデータのテンプレートある。もし、「撮像付加情報に最も撮影条件が近い撮影モード」の値が撮像付加情報と異なっている（すなわち「撮像付加情報に最も撮影条件が近い撮影モード」であるポートレートモードの場合、０（ａｕｔｏ）（６０８）でない）場合は、ステップＳ４０４において、９０１のイメージテンプレートを取得する。９０２欄は、ステップＳ４０７でマニュアルデータの変更部分を合成するため、空欄となっている。
【００４９】
図１０は、本発明の実施形態における撮像装置２００が管理するマニュアルデータの一例である。
【００５０】
図１０において、感度設定テンプレート１００１は、ＩＳＯ感度を変更する際にプリンタ２５０に送信するマニュアルデータのテンプレートある。もし、「撮像付加情報に最も撮影条件が近い撮影モード」の値が撮像付加情報と異なっている（すなわち「撮像付加情報に最も撮影条件が近い撮影モード」であるポートレートモードの場合、０ｘｆ（ａｕｔｏ）（６０９）でない）場合は、ステップＳ４０４において、１００１のイメージテンプレートを取得する。１００２欄は、ステップＳ４０７でマニュアルデータの変更部分を合成するため、空欄となっている。
図４のフローチャートの説明に戻る。
【００５１】
続いて、ステップＳ４０５において、ＣＰＵ２１４は、「撮像付加情報に最も撮影条件が近い撮影モード」の標準撮影条件データと撮像情報の撮像付加情報とに差分があるかを判断する。「撮像付加情報に最も撮影条件が近い撮影モード」の標準撮影条件データと撮像情報の撮像付加情報とに差分がない場合はステップＳ４０９に移行し、差分がある場合はステップＳ４０６へ移行する。
【００５２】
「撮像付加情報に最も撮影条件が近い撮影モード」の標準撮影条件データと撮像情報の撮像付加情報とに差分がない場合はステップＳ４０９へ移行し、ステップＳ４０９において、ＣＰＵ２１４は、撮影モードを変更する際のマニュアルデータのテンプレート（図７の７０１）に、７０２の空欄の情報である、撮影モード選択操作画面の説明文を取得する。図７の７０３は撮影モード選択操作画面の説明文の例である。撮像情報の撮像付加情報が図６の６０１である場合は、６０４のポートレートモードが選択されているので、図７の７０４の［ポートレートモード］の説明文が適応される。図４のフローチャートの説明に戻る。
【００５３】
「撮像付加情報に最も撮影条件が近い撮影モード」の標準撮影条件データと撮像情報の撮像付加情報とに差分がある場合はステップＳ４０６へ移行し、ステップＳ４０６において、ＣＰＵ２１４は、標準撮影条件データと撮像付加情報との差分があるマニュアルデータのテンプレートを取得し（図７の７０１、図８の８０１、図９の９０１、図１０の１００１など）、夫々の空欄の情報（７０２、８０２、９０２、１００２）を取得する。夫々の空欄に入る情報は、夫々７０３、８０３、９０３、１００３のように、部分データとしてマニュアルデータ記憶部１０２に記憶している。夫々の空欄７０２、８０２、９０２、１００２に入る情報は、例えば、露出補正値に差分があり、図６の６０７のように「撮像付加情報に最も撮影条件が近い撮影モード」であるポートレートモードの露出補正値６０８と異なる場合、６０７の＋１／３の値で８０３の部分データに対応する画像８０４を取得する。
【００５４】
次に、ステップＳ４０７において、ステップＳ４０６で取得した部分データをマニュアルデータのテンプレートと合成し、さらに夫々の画像付加情報のデータも合成する。合成した結果を図１２に示す。
【００５５】
図１２は、本発明の実施形態における撮像装置２００がプリンタ２５０に送信する情報の一例である。
【００５６】
図１２は図６の６０１の撮像付加情報の際の送信情報の例であり、６０４のように撮影モードはポートレートモードであるため、１２０１の結果となり、露出補正値は６０７のように、＋１／３であるため、１２０２の結果となる。また、ホワイトバランスは６０６のように、ｄａｙｌｉｇｈｔ（太陽光）であるため、１２０３の結果となり、感度設定は６０９のように、ＩＳＯ４００であるため、１２０４の結果となる。図４のフローチャートの説明に戻る。
【００５７】
続いて、ステップＳ４０８において、ＣＰＵ２１４は、図１２のようなマニュアルデータを作成し、このフローを終える。
【００５８】
図１１を参照して、ユーザから見たマニュアル印刷を実施するまでの操作手順を示す。
【００５９】
図１１は、本発明の実施形態における撮像装置２００上でのユーザの操作イメージの一例であり、撮像装置２００の入出力部２１９に出力されるイメージである。
【００６０】
まず、図１１の１１０１は、プリンタ２５０と撮像装置２００とを接続した際に入出力部２１９に出力されるイメージであり、この段階で撮像装置２００上の図示しない［ＳＥＴ］キーを押下すると、通常の撮像画像印刷ジョブが実施され、１１０２の画面を経由して、１１０３のように［撮像画像を印刷しています］画面を表示し、プリンタ２５０に撮像画像が送信される。
【００６１】
一方、図１１の１１０１で例えば、撮像装置２００上の図示しない［ＵＰ］［ＤＯＷＮ］キーを押下して撮影条件マニュアル印刷の表示がアクティブの状態（１１０４）で［ＳＥＴ］キーを押下すると、１１０５の画面を表示する。１１０５では、１１０２の表示と異なり、１１０６のエリアに撮影条件のマニュアルが表示されている。ユーザが１１０５の表示段階で［ＳＥＴ］キーを押下すると、１１０７のように［撮影条件マニュアルを印刷しています］画面を表示し、図４で作成した撮影条件マニュアルをプリンタ２５０に送信する。
【００６２】
以上の構成により、過去の撮影条件での写真を撮るための設定値を再設定するために実施する操作を簡単にできる。また、前記再設定する設定値に設定するためのマニュアルデータ自体の言葉や数値なども適宜変更してプリンタに送信することが可能となる。
【００６３】
なお、上述した各種データの構成及びその内容はこれに限定されるものではなく、用途や目的に応じて、様々な構成や内容で構成されることは言うまでもない。
【００６４】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００６５】
以下、図１３に示すメモリマップを参照して本発明に係る撮像装置で読み取り可能なデータ処理プログラムの構成について説明する。
【００６６】
図１３は、本発明に係る撮像装置で読み取り可能な各種データ処理プログラムを格納する記録媒体（記憶媒体）のメモリマップを説明する図である。
【００６７】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６８】
さらに、各種プログラムに従属するデータも上記ディレクトリに管理されている。また、インストールするプログラムやデータが圧縮されている場合に、解凍するプログラム等も記憶される場合もある。
【００６９】
本実施形態における図３，図４に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００７０】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００７１】
この場合、記録媒体から読み出されたプログラムコード自体が本発明の新規な機能を実現することになり、そのプログラムコードを記憶した記録媒体は本発明を構成することになる。
【００７２】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００７３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７４】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【００７６】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【００７７】
なお、上述した各実施形態およびその変形例を組み合わせた構成も全て本発明に含まれるものである。
【符号の説明】
【００７８】
２００  撮像装置
２１３  メモリ
２１５  外部記憶メモリ
１０１  撮像情報
１０２  マニュアルデータ記憶部
１０３  標準撮影条件データ記憶部
１１１  情報制御部
１０４  マニュアルデータ変更部
１０５  操作部
１０６  撮像付加情報取得部
１０７  選択受付部
１０８  標準撮影条件差分検出部
１０９  標準撮影条件決定部
１１０  送信部
【図１】
2012129880.tif 000003
【図２】
2012129880.tif 000004
【図３】
2012129880.tif 000005
【図４】
2012129880.tif 000006
【図５】
2012129880.tif 000007
【図６】
2012129880.tif 000008
【図７】
2012129880.tif 000009
【図８】
2012129880.tif 000010
【図９】
2012129880.tif 000011
【図１０】
2012129880.tif 000012
【図１１】
2012129880.tif 000013
【図１２】
2012129880.tif 000014
【図１３】
2012129880.tif 000015